(57)【特許請求の範囲】
【請求項１】
構造物の周囲の側壁に沿って鉛直面状に多層に設けられる仮設足場であって、
構造物本体から吊り下げられるとともに、最上層の足場となる支持梁を有し、
該支持梁に着脱自在に連結された２対以上の垂直棒と、両端に鍔が設けられ、
前記対になった垂直棒間に着脱自在に架け渡された水平棒と、該水平棒間に架橋された足場板とから第二層の足場が構成され、
第三層以下の足場が前記第二層と同様に垂直棒と水平棒と足場板とから構成され、垂直棒が上層の水平棒に着脱自在に吊り下げられた構造物の仮設足場において、
前記支持梁が所定の中間層の足場として組込まれるとともに、該中間層には中間層内側に中間ステージが組込まれていることを特徴とする構造物の仮設足場。
【請求項２】
前記中間ステージは、
前記支持梁に所定の間隔で組み付けられた複数のトラス梁と、
該トラス梁上にはりめぐらされた前記足場板とからなることを特徴とする請求項１に記載の構造物の仮設足場。
【請求項３】
構造物の周囲の側壁に沿って鉛直面状に多層に設けられる仮設足場の構築方法であって、
構造物本体から吊り下げられるとともに、最上層の足場となる支持梁を有し、
該最上層の支持梁に第二層の足場が吊り下げられ、
第三層以下の足場が夫々上層の足場に吊り下げられ、
前記支持梁が所定の中間層の足場として組込まれるとともに、該中間層には中間層内側に中間ステージが組込まれた構造物の仮設足場の構築方法において、
多層に吊り下げ形成される前記仮設足場を複数の部分に分割し、
第１の分割部分側の足場を一層ずつ組み立てては吊り上げるとともに、所定の中間層内側に中間ステージを組込み、更に下層の足場を最終層まで形成し、
次に第２の分割部分の足場と中間ステージも同様にして最終層まで吊り上げ形成するとともに、第１の分割部分の各層の足場及び中間ステージと第２の分割部分の各層の足場及び中間ステージとを夫々連結し、
同様にして最後の分割部分の足場まで吊り上げ形成するとともに、最後の分割部分の各層の足場及び中間ステージと隣り合う分割部分の各層の足場及び中間ステージとを互いに連結することを特徴とする、構造物の仮設足場の構築方法。
【発明の詳細な説明】
【０００１】
【発明の属する技術分野】
本発明はボイラ火炉等の構造物の仮設足場及びその構築方法に係り、特に火力発電所等の大型循環ボイラの建設に際して好適な仮設足場及びその構築方法に関する。
【０００２】
【従来の技術】
火力発電所等に備えられる循環ボイラの火炉は、直方体状に周囲が構成される。これらの周面は、その大部分が火炉内側の水管壁と火炉外側のケーシングによる二重構造とされ、水管壁とケーシングの間隙部には耐火断熱材が充填されている。
【０００３】
火炉内部は空洞であるから、水管壁の取付けに際しては、火炉内の周面に沿って仮設足場を設ける必要がある。仮設足場は、建設現場に分割して搬入された水管壁を所定の取付け位置に設定するための足場、水管壁を相互に溶接するための足場、水管壁の水圧テストのための足場として用いられる。
【０００４】
従来、ボイラ火炉内の仮設足場は、パイプ足場もしくは鋼製のユニット足場を下方（例えば地上）から上方へと組み立てる、いわゆる組み上げ方式のものが大部分であり、足場丸太又は鋼構造のユニットを連結して骨組みを形成している。この理由としては、第１に仮設足場として最も一般的であること、第２に過去の実績による最も手馴れた方式であり、施工技術が一応確立されていること、第３に他に有効な代替え方式が見当たらなかったことなどの理由による。
【０００５】
しかし、これらの地上から組み上げる方式のものは、組立、解体の作業に必要な工数が多大であり、特に地盤条件の悪い場合には、その整合に多大な作業を有する。また、組立、解体に際して高所作業が多いため、作業安全上好ましくなく、更に、車両や工具の出入りが激しい下方空間を占有するため作業能率に支障をきたす場合が応々にしてあった。
【０００６】
また高層足場においては、垂直荷重が圧縮応力として作用するので、座屈強度を得るため骨組み部材は相応の剛構造が要求され、資材のコストが増大する等の問題を抱えていた。
【０００７】
このような地上組み上げ方式の欠点を解消するものとして、吊り棒で吊り下げられた上部剛部材（支持梁）の下に複数対の垂直棒を吊り下げ、各一対の垂直棒には両端に鍔を有する水平棒を架け渡し、隣同士の水平棒間に足場板を架橋して足場を組立て、次々と下層の足場を吊り下げる方式等、種々の吊り足場が提案されている（例えば、特許文献１参照。）。
【０００８】
この特許文献１に記載された吊り足場は、ボイラ本体構造物から吊り下げられるとともに、最上層の足場となる水平剛部材を有し、該水平剛部材に着脱自在に連結された２対以上の垂直棒と、両端に鍔が設けられ、前記対になった垂直棒間に着脱自在に架け渡された水平棒と、該水平棒間に架橋された足場板とから第二層の足場が構成され、第三層以下の足場が前記第二層と同様に垂直棒と水平棒と足場板とから構成され、垂直棒が上層の水平棒に着脱自在に吊り下げられたボイラ火炉内の吊り足場である。
【０００９】
【特許文献１】
特開昭５９−０４４５０４号公報
【００１０】
【発明が解決しようとする課題】
ところで、ボイラ火炉内の空洞部には天井壁管の下方に最終加熱用のペンダントコイルが略全面にわたって吊り下げられている。このペンダントコイルの亀裂の有無や肉厚が不足する部分の有無を点検するために、ペンダントコイルの下方全面に足場がはりめぐらされた点検作業用のステージが必要である。
【００１１】
しかし、前述の特許文献１に記載されたボイラ火炉内の仮設足場は、ボイラ火炉内の周面に設けられた足場であって、ペンダントコイルの下方全面に足場のはりめぐらされた点検作業用のステージは有していない。このため、ペンダントコイルの点検のために、火炉底部から別途支柱を立ち上げ、火炉内部の中間位置にペンダントコイル点検作業用の中間ステージを設置していた。
【００１２】
このため、火炉内の周面の足場と、この中間ステージと二重に設置しなければならず、設置工数、設置費用が増大し、さらに高所作業も増大し、設置作業の安全面においても問題であった。
【００１３】
本発明はかかる事情に鑑みてなされたもので、ボイラ火炉等の構造物内の周面の足場と、中間ステージとを二重に設置することなく、火炉内側の水管壁等の構造物内側壁に沿う設置物の取付けや点検と最終加熱用のペンダントコイル等の吊り下げられる設置物の点検作業を行うことのできるボイラ火炉等の構造物の仮設足場及びその構築方法を提供することを目的とする。
【００１４】
【課題を解決するための手段】
前記目的を達成するために、請求項１に記載の発明は、構造物の周囲の側壁に沿って鉛直面状に多層に設けられる仮設足場であって、構造物本体から吊り下げられるとともに、最上層の足場となる支持梁を有し、該支持梁に着脱自在に連結された２対以上の垂直棒と、両端に鍔が設けられ、前記対になった垂直棒間に着脱自在に架け渡された水平棒と、該水平棒間に架橋された足場板とから第二層の足場が構成され、第三層以下の足場が前記第二層と同様に垂直棒と水平棒と足場板とから構成され、垂直棒が上層の水平棒に着脱自在に吊り下げられた構造物の仮設足場において、前記支持梁が所定の中間層の足場として組込まれるとともに、該中間層には中間層内側に中間ステージが組込まれていることを特徴としている。
【００１５】
請求項１の発明によれば、構造物の周囲の側壁に沿って鉛直面状に多層に設けられる吊り下げ式の仮設足場は、所定位置の中間層の足場として剛性の高い支持梁が組込まれ、中間層内側に中間ステージが一体に組込まれているので、周面の足場と中間ステージとを二重に設置することなく、構造物内側の側壁に沿う設置物の取付けや点検と吊り下げられる設置物の点検作業とを行うことができる。このため設置工数、設置費用が減少し、さらに設置に際しての高所作業も減少するので、設置作業の安全面における問題も少ない。
【００１６】
請求項２に記載の発明は、請求項１の発明において、前記中間ステージは、前記支持梁に所定の間隔で組み付けられた複数のトラス梁と、該トラス梁上にはりめぐらされた前記足場板とからなることを特徴としている。
【００１７】
請求項２の発明によれば、吊り下げられる設置物の点検作業用の中間ステージは、仮設足場の中間層に組込まれた剛性のある支持梁に複数のトラス梁を組み付け、トラス梁上に足場板をはりめぐらして構成されているので、軽量で組立及び分解も容易である。
【００１８】
また、請求項３に記載の発明は、構造物の周囲の側壁に沿って鉛直面状に多層に設けられる仮設足場の構築方法であって、構造物本体から吊り下げられるとともに、最上層の足場となる支持梁を有し、該最上層の支持梁に第二層の足場が吊り下げられ、第三層以下の足場が夫々上層の足場に吊り下げられ、前記支持梁が所定の中間層の足場として組込まれるとともに、該中間層には中間層内側に中間ステージが組込まれた構造物の仮設足場の構築方法において、多層に吊り下げ形成される前記仮設足場を複数の部分に分割し、第１の分割部分側の足場を一層ずつ組み立てては吊り上げるとともに、所定の中間層内側に中間ステージを組込み、更に下層の足場を最終層まで形成し、次に第２の分割部分の足場と中間ステージも同様にして最終層まで吊り上げ形成するとともに、第１の分割部分の各層の足場及び中間ステージと第２の分割部分の各層の足場及び中間ステージとを夫々連結し、同様にして最後の分割部分の足場まで吊り上げ形成するとともに、最後の分割部分の各層の足場及び中間ステージと隣り合う分割部分の各層の足場及び中間ステージとを互いに連結することを特徴としている。
【００１９】
請求項３の発明によれば、構造物の周囲の側壁に沿って鉛直面状に多層に設けられるとともに、所定の中間層に中間ステージが組みつけられた吊り下げ式仮設足場は、平面図上のいくつかの部分に分割され、分割された各部分ごとに一層ずつ吊り上げられて形成されるので、仮設足場を吊り上げる吊り上げ装置の数が少なくて済む。また、足場を組み立てる作業に要する床面積も分割されるので、組立作業の占有床面積が少なくて済み、占有していない床部分で他の作業を平行して行うことができる。
【００２０】
【発明の実施の形態】
以下、添付図面に従って本発明実施の形態に係る構造物としてのボイラ火炉内の仮設足場及びその構築方法の好ましい実施の形態について説明する。なお各図において同一の部材には同一の番号を付している。
【００２１】
先ず最初に、本発明実施の形態に係るボイラ火炉内の仮設足場として用いられている吊り足場形式の仮設足場の基本構成について説明する。図１は、吊り足場形式の仮設足場の基本構造を表わす斜視図である。仮設足場１０は、構造物からワイヤロープ及び吊り棒２１等で吊り下げられた支持梁１１を有し、支持梁１１は最上層の足場となっている。
【００２２】
支持梁１１から下方には複数対の垂直棒１５、１５、…が吊り下げられ、各対の垂直棒１５、１５にはめ込まれた水平棒１６、１６、…、及び各水平棒１６、１６間に架橋された足場板１４、１４、…で第二層の足場が形成されている。第二層の水平棒１６、１６、…からは夫々一対の垂直棒１５、１５が吊り下げられ、各対の垂直棒１５、１５には夫々水平棒１６がはめ込まれ、各水平棒１６、１６間には足場板１４が架橋されて第三層の足場が形成されている。
【００２３】
以下同様にして第四層、第五層、…の足場が形成され、これら複数層の足場によって仮設足場全体が構成されている。
【００２４】
図２は、支持梁１１より下層の足場を形成するための垂直棒１５と水平棒１６の詳細を表わす斜視図である。水平棒１６は両端に夫々２枚ずつの鍔１６Ａ、１６Ａが溶接されている。また、垂直棒１５は両端に連結板１５Ａが溶接され、連結板１５Ａには、水平棒１６の鍔１６Ａの直径より僅かに大きな大径孔１５Ｃと、水平棒１６の棒部１６Ｂの直径よりも僅かに大きな小径孔１５Ｄとが接続されてなるだるま形孔１５Ｂが形成されている。
【００２５】
だるま形孔１５Ｂの形状を更に詳細に説明すると、小径孔１５Ｄの半円部と大径孔１５Ｃとが小径孔１５Ｄの直径と等しい幅の平行溝で接続されており、水平棒１６の棒部１６Ｂは大径孔１５Ｃと小径孔１５Ｄとの間を移動できるようになっている。なお、支持梁１１を吊り下げる吊り棒２１の下端にも、垂直棒１５の両端に設けられたものと同じ連結板１５Ａが取付けられている。
【００２６】
また、水平棒１６の両端に夫々取付けられた２枚の鍔１６Ａ、１６Ａ間の隙間は、垂直棒１５の両端に取付けられた連結板１５Ａの厚さの２倍よりも僅かに大きくなっている。
【００２７】
上層から吊り下げられた垂直棒１５の下端の連結板１５Ａと下層に吊り下げる垂直棒１５の上端の連結板１５Ａとが夫々大径孔１５Ｃから水平棒１６の鍔１６Ａを挿通させ、２枚の鍔１６Ａ、１６Ａ間の隙間の棒部１６Ｂで夫々の小径孔１５Ｄに係合させている。垂直棒１５の上端の連結板１５Ａには、小径孔１５Ｄに係合された水平棒１６の棒部１６Ｂを把持する把持具１７が設けられている。
【００２８】
図３は足場板１４を表わす斜視図である。足場板１４は断面コの字型の足場板本体１４Ａと、足場板本体１４Ａの長手方向両端部に取付けられ、夫々２個のフック１４Ｃ、１４Ｃが設けられたフックベース１４Ｂ、１４Ｂとから構成されている。
【００２９】
各層の対になった垂直棒に架け渡された水平棒１６の隣り合う水平棒１６間には、足場板１４が長手方向の両端に設けられたフック１４Ｃ、１４Ｃを水平棒１６に係合させることにより架橋され、各層の足場となっている。
【００３０】
次に、前述の構造を有する吊り下げ式の仮設足場１０の基本構造の組立手順について説明する。先ず、最上層の足場となる支持梁１１を地上の所定の位置に搬入する。次に、仮設足場１０を吊り上げる複数本のワイヤロープを地上まで下ろし、各ワイヤロープの先端に連結した吊り棒２１を支持梁１１の所定位置に取付ける。支持梁１１には吊り棒２１を取付ける位置と第二層の垂直棒１５を吊り下げる位置とに、水平棒１６の棒部１６Ｂ、鍔１６Ａと同一寸法の連結部材（付番せず）が取付けられており、吊り棒２１の下端に設けられた連結板で接続される。
【００３１】
次に第二層の垂直棒１５を吊り下げる位置の連結部材に第二層の垂直棒１５、１５、…を取付ける。この時支持梁１１に取付けられた連結部材の鍔を連結板１５Ａの小径孔１５Ｄに挿通させた後垂直棒１５をスライドさせることにより、連結板１５Ａの大径孔１５Ｃと連結部材の棒部とが係合される。次いで把持具１７を回転移動させて棒部を把持する位置に位置付ける。
【００３２】
所定箇所への垂直棒１５の取付が終了すると、図示しない吊り上げ機によってワイヤロープを引き上げ、支持梁１１を下層の一層分だけ吊り上げる。なお、垂直棒１５の取付けは、支持梁１１を吊り上げた後に行ってもよい。
【００３３】
次に、支持梁１１の幅方向に対に配置されている垂直棒１５、１５の下端の連結板１５Ａに水平棒１６を取付ける。この水平棒１６の取付けは、水平棒１６の両端の鍔１６Ａを垂直棒１５の連結板１５Ａに形成されただるま形孔１５Ｂの大径孔１５Ｃに挿通して下方にスライドすることにより、水平棒１６の棒部１６Ｂをだるま形孔１５Ｂの小径孔１５Ｄに係合させる。
【００３４】
所定箇所の水平棒１６の取付けが終了すると、次に足場板１４の長手方向の両端に設けられたフック１４Ｃ、１４Ｃを水平棒１６に係合させることにより、隣り合う水平棒１６間に足場板１４を架橋する。これで第二層の足場が組み立てられる。
【００３５】
次に、第三層用の垂直棒１５の上端に取付けられている連結板１５Ａを、前述と同様にして、だるま形孔を利用して水平棒１６の端部の鍔１６Ａの内側に嵌め込み、把持具１７で水平棒１６の棒部１６Ｂを把持する。水平棒１６の端部の鍔１６Ａとその内側の鍔１６Ａとの間隔が、連結板１５Ａの厚さの２倍よりも僅かに広いので、第二層の垂直棒１５の連結板１５Ａと第三層の垂直棒１５の連結板１５Ａとが２枚の鍔１６Ａ、１６Ａの間で挟持される。
【００３６】
所定箇所の水平棒１６への垂直棒１５の取付が終了すると、支持梁１１を更に一層分吊り上げて第二層を地上から一層分吊り上げる。なお、第三層用の垂直棒１５の取付けも第二層を吊り上げた後に行ってもよい。以下同様にして一層分ずつ足場を組み立てては吊り上げてゆく。このようにして、地上で組立作業を行い、一層ずつ吊り上げるので、高所作業が著しく軽減される。なお、必要に応じて、任意の層に支持梁１１を組込み、仮設足場全体としての強度を向上させる。
【００３７】
仮設足場１０を解体する場合は、組立とは逆の手順で先ず最下層の足場を解体する。最下層の足場の足場板１４、１４、…を取外し、水平棒１６、１６、…を取外したら、垂直棒１５、１５、…を取外す。
【００３８】
最下層の垂直棒１５、１５、…を全て取外すと、次に仮設足場１０全体を一層分吊り降ろし、最下層の上の層の足場を解体する。以下この作業を繰返し、仮設足場１０全体を解体する。
【００３９】
図４は前述のように形成される吊り足場形式の足場が隣り合う２面に形成された状態を表わしている。図４に示すように、第八層の足場には支持梁１１が組込まれ、強度向上が図られている。また、各層の足場は、隣り合う面の足場と互いに連結されている。以上が吊り足場形式の仮設足場１０の基本構成とその組立、解体手順である。
【００４０】
次に本発明実施の形態に係るボイラ火炉内の仮設足場１０の全体構成について説明する。図５、及び図６は本発明の実施形態に係るボイラ火炉内の仮設足場１０の全体構成をあらわしたものである。図５は正面図であり、図６は側断面図である。
【００４１】
図５に示すように、ボイラ７０の内部に設置された火炉７１の内周面に沿って仮設足場１０が吊り棒２１、２１、…及びワイヤロープ２２、２２、…によって吊り下げられている。仮設足場１０の最上層は支持梁１１で枠取られており、中間層にも支持梁１１が組込まれ、仮設足場１０全体の強度が保たれている。なお、図５においては、手前側の足場が上層から最初の中間層に組込まれた支持梁１１まで記載され、以下の層の記載が省略されている。
【００４２】
図６に示すように、ボイラ７０の天井床には複数台の吊り上げ装置としての巻上げ機７３、７３、…が設けられ、夫々図示しない複数の滑車を経由したワイヤロープ２２及び吊り棒２１で仮設足場１０を吊り上げるように構成されている。
【００４３】
また、火炉７１内の上部には、図示しない天井壁管から最終加熱用のペンダントコイル７２、７２、…（設置物）が垂下している。このペンダントコイル７２、７２、…は、火炉７１内の上部空間にぎっしりと並べられて垂下している。
【００４４】
図６において、仮設足場１０の最上層に組込まれた支持梁１１から下方に数えて第九層目には同じく支持梁１１が組込まれ、この位置に中間ステージ１２が形成されている。中間ステージ１２は、ペンダントコイル７２、７２、…の亀裂の有無、肉厚不足箇所の有無の点検を行うためのステージで、第九層内側全面に形成されている。この中間ステージ１２は、図７に示すように、第九層の足場として組込まれた支持梁１１、１１、…間に所定の間隔で張り渡されたトラス梁１３、１３、…と、トラス梁１３、１３間に貼り渡された足場板１４、１４、…とから構成され、ペンダントコイル７２、７２、…の下方での点検作業が容易に実施できる位置となっている。
【００４５】
中間ステージより下方の各層の足場は、火炉７１内の周囲の側壁に沿って更に下方に向けて最下層まで形成され、このようにして仮設足場１０全体が火炉７１内に吊り下げ形成されている。
【００４６】
次に、ボイラ火炉内の仮設足場１０の構築手順について説明する。図８は仮設足場１０の平面配置図である。図８において、１点鎖線は火炉７１の内周面を表わしている。仮設足場１０は、手前側のＡ部とＥ部、左側のＢ部、右側のＦ部、奥側のＤ部とＨ部、及び中間部のＣ部とＧ部とで構成されている。Ｂ部とＦ部の幅の広い部分には各層間を移動するための階段足場が形成されている。
【００４７】
図６、及び図８に示すように、中間ステージ１２より上部はＡ部とＥ部、Ｂ部、Ｆ部、及びＣ部とＧ部の足場が形成され、中間ステージ１２部ではＡ部〜Ｈ部全ての足場が形成され、中間ステージ１２より下部はＡ部とＥ部、Ｂ部、Ｆ部、及びＤ部とＨ部とで構成されている。
【００４８】
仮設足場の構築にあたっては、仮設足場１０を図８のＹーＹ線で左右に２分割し、最初に右側の足場から構築する。即ち火炉７１の最下部作業床でＡ部、Ｂ部、及びＣ部の最上層の支持梁１１、１１、…を組み付け、組み付け後複数の巻上げ機７３、７３、…で一層分吊り上げる。次に第二層目の足場を組立て、また一層分吊り上げる。以上を繰返し、第九層目には、Ａ部、Ｂ部、Ｃ部、及びＤ部の支持梁１１、１１、…を組み付け、支持梁１１間にトラス梁１３、１３、…を所定間隔で組込み、足場板１４、１４、…を敷き詰めて中間ステージ１２の半分を組み付ける。第十層目以下はＡ部、Ｂ部、及びＤ部の足場を一層ずつ組み立てては吊り上げ、最下層まで構築する。
【００４９】
右半分の足場がすべて構築されると、次に左半分の足場を同様にして構築する。この時左半分の足場を吊り下げている夫々の吊り棒２１をボイラ７０の天井筐体に固定し、固定後各部のワイヤロープ２２、２２、…を取外して右側の足場の最上層の支持梁１１、１１、…の方に付け替える。
【００５０】
右半分の足場も同様にして、中間ステージ１２より上部はＥ部、Ｆ部、及びＧ部の足場を八層分順次形成し、第九層目にＥ部、Ｆ部、Ｇ部、及びＨ部の支持梁１１、１１、…と中間ステージ１２の半分を組み付ける。また、第十層目以下はＥ部、Ｆ部、及びＨ部の足場を形成し、最下層まで構築する。
【００５１】
右半分の足場がすべて構築されると、次に各層の左右の足場同士、及び中間ステージ１２の左右同士を夫々図示しない連結具を用いて連結し、仮設足場１０として一体化する。連結が完了すると、右半分の足場を吊り下げている夫々の吊り棒２１も同様にボイラ７０の天井筐体に固定する。
【００５２】
このように仮設足場を左右に分割し、左の足場、右の足場と順に構築して最後に左右を結合することにより、巻上げ機７３の台数を半分で済ますことができる。
【００５３】
なお、本実施の形態では、仮設足場１０の構成を図８に示すような配置で構成したが、これに限らず、火炉７１のペンダントコイル７２、７２、…の配置等によって適宜の配置で構成することができる。また、中間ステージ１２は中間層の支持梁１１内部全面に形成したが、全面に限らず、必要部分のみに形成するようにしてもよい。また、仮設足場１０の構築にあたり、左右２分割で構築したが２分割に限らず更に多数に分割してもよい。
【００５４】
【発明の効果】
以上説明したように、本発明に係る構造物の仮設足場及びその構築方法によれば、構造物の周囲の側壁に沿って鉛直面状に多層に設けられる吊り下げ式の仮設足場は、所定位置の中間層の足場として剛性の高い支持梁が組込まれ、中間層内側全面にわたる中間ステージが一体に組込まれているので、周面の足場と中間ステージとを二重に設置することなく、構造物内の側壁に沿う設置物の取付けや点検と吊り下げられる設置物の点検作業とを行うことができる。このため仮設足場の設置工数、設置費用が減少し、さらに設置に際しての高所作業も減少するので、設置作業の安全面における問題も少ない。
【００５５】
また、構造物の周囲の側壁に沿って鉛直面状に多層に設けられるるとともに、所定の中間層に中間ステージが組みつけられた吊り下げ式仮設足場は、平面図上のいくつかの部分に分割され、分割された各部分ごとに一層ずつ吊り上げられて形成されるので、仮設足場を吊り上げる吊り上げ装置の数が少なくて済む。また、足場を組み立てる作業に要する床面積も分割されるので、組立作業の占有床面積が少なくて済み、占有していない床部分で他の作業を平行して行うことができる。
【図面の簡単な説明】
【図１】本発明に係る仮設足場の基本構造を説明する斜視図
【図２】仮設足場の垂直棒と水平棒の詳細を表わす斜視図
【図３】足場板を表わす斜視図
【図４】仮設足場を２面に形成した状態を表わす斜視図
【図５】本発明実施の形態に係るボイラ火炉内の仮設足場の全体構成を表わす正面図
【図６】本発明実施の形態に係るボイラ火炉内の仮設足場の全体構成を表わす側断面図
【図７】中間ステージの構成を表わす側面図
【図８】ボイラ火炉内の仮設足場の平面配置図
【符号の説明】
１０…仮設足場、１１…支持梁、１２…中間ステージ、１３…トラス梁、１４…足場板、１５…垂直棒、１６…水平棒、１６Ａ…鍔、２１…吊り棒、２２…ワイヤロープ、７０…ボイラ、７１…火炉（構造物）、７２…ペンダントコイル（設置物）、７３…巻上げ機
【図１】
0003703096.tif 000002
【図２】
0003703096.tif 000003
【図３】
0003703096.tif 000004
【図４】
0003703096.tif 000005
【図５】
0003703096.tif 000006
【図６】
0003703096.tif 000007
【図７】
0003703096.tif 000008
【図８】
0003703096.tif 000009